(57)【特許請求の範囲】
【請求項１】
地上に地下室の外周壁躯体を構成するケーソンを配置した後、このケーソンの内側及び下側の地盤を掘削して形成した掘削穴に当該ケーソンを所定の設置深さまで沈下させる地下室潜函工法において、
予めケーソンの適当な複数箇所に分散して、複数本の調整ネジをケーソンから上方に突出するようにケーソンに固定し、このケーソンを掘削穴内の地下室基礎底面上の所定の深さに沈下させてから、前記調整ネジを各箇所ごとにそれぞれハンガービームに挿通し、各ハンガービームの両端を掘削穴の周縁部に受け止めさせた後、各調整ネジに調整ナットを螺合し、ハンガービームに受け止められるまで締め込んで前記ハンガービーム、調整ナット及び調整ネジを介して前記ケーソンを掘削穴の周縁部に吊持させた状態でケーソンの傾きを調整しつつ、ケーソンを所定の設置深さまで沈下させることを特徴とする地下室潜函工法。
【請求項２】
平面視において、前記ケーソンの重心から等距離の複数箇所にそれぞれ１本又は複数本の前記調整ネジが配置される請求項１に記載の地下室潜函工法。
【請求項３】
平面視において、ケーソンの重心を通る直線上の、前記重心を中心とする対称的な２箇所にそれぞれ１本又は複数本の前記調整ネジが配置されている請求項１又は２に記載の地下室潜函工法。
【請求項４】
ケーソンが平面視において中空の長方形又は正方形に形成され、この長方形又は正方形の対角に位置するケーソンの２隅部にそれぞれ１本又は複数本の調整ネジが配置されている請求項１ないし３のいずれか１項に記載の地下室潜函工法。
【請求項５】
ケーソンの３箇所以上の複数箇所にそれぞれ１本又は複数本の前記調整ネジが配置されている請求項１ないし４のいずれか１項に記載の地下室潜函工法。
【請求項６】
掘削穴の周縁部以外の部分を機械掘り及び／又は手掘りし、掘削穴の周縁部をケーソンの自重を利用してそのケーソン自体により掘り下げさせることにより前記掘削穴が形成され、前記ケーソンを掘削穴の周縁部下方の地盤及びケーソンの外周囲の地盤に支持させながら地下室基礎底面上の所定の深さに沈下させる請求項１ないし５のいずれか１項に記載の地下室潜函工法。
【請求項７】
ケーソンの内側及び下側を掘削することにより掘削穴が形成され、前記ケーソンをジャッキあるいは揚上機により支持しながら地下室基礎底面上の所定の深さに沈下させる請求項１ないし５のいずれか１項に記載の地下室潜函工法。
【請求項８】
ケーソンの内側、下側及び外側の所定の範囲を掘削することにより前記掘削穴が形成され、前記ケーソンをジャッキあるいは揚上機により支持しながら地下室基礎底面上の所定の深さに沈下させる請求項１ないし５のいずれか１項に記載の地下室潜函工法。
【請求項９】
ケーソンを設置深さまで沈下させた後、このケーソンを調整ネジ、調整ナット及びハンガービームを介して掘削穴の周縁部に吊持させる請求項１ないし８のいずれか１項に記載の地下室潜函工法。
【請求項１０】
ケーソンを設置深さよりも浅い所定の仮支持深さまで沈下させた後、ハンガービーム、調整ナット及び調整ネジを介して前記ケーソンを掘削穴の周縁部に吊持させ、この後、前記調整ナットを螺解してケーソンを前記設置深さまで沈下させながら前記調整ナットの締め具合を調整する請求項１ないし９のいずれか１項に記載の地下室潜函工法。
【請求項１１】
ケーソンを設置深さよりも浅い所定の仮支持深さまで沈下させた後、前記調整ネジを各箇所ごとにそれぞれハンガービームに挿通し、各ハンガービームの両端を掘削穴の周縁部に受け止めさせてから、各調整ネジに調整ナットを螺合して、ハンガービームの上面よりも高い所定の位置まで締め込み、この後、ケーソンを前記設置深さ、又はその近くまで沈下させたときに各調整ナットをハンガービームに受け止めさせることにより前記ハンガービーム、調整ナット及び調整ネジを介して前記ケーソンを掘削穴の周縁部に吊持させ、更にこの後、前記調整ナットの締め具合を調整することによりケーソンを前記設置深さに設置する請求項１ないし８のいずれか１項に記載の地下室潜函工法。
【発明の詳細な説明】
【０００１】
【発明の属する技術分野】
本発明は、地下室潜函工法に係り、特に、地下室の壁躯体を傾かせることなく設置できる地下室潜函工法に関する。
【０００２】
【従来の技術】
従来、地下室は、当該地下室よりも広く大きい穴を地面に掘り、この穴の底に地下室基礎を形成し、この地下室基礎の上に鉄筋コンクリート造の壁躯体を形成した後、この壁躯体の周囲に土砂を埋め戻すという工法（以下、在来工法という。）により建築されている。
【０００３】
この在来工法には、工期が長く、しかも、不安定な上、工費が高いという技術的課題がある。
【０００４】
近年になって、この在来工法の技術的課題を解決するために、地上に地下室の外周壁躯体を構成するケーソンを形成した後、このケーソンの内側及び下側の地盤を掘削して形成した掘削穴に当該ケーソンを所定の設置深さまで沈下させる地下室潜函工法が提案されている。
【０００５】
この地下室潜函工法の中には、工場生産したケーソンを地下室建設現場に輸送して、地下室建設用地の上に設置する方法もあるが、この方法には輸送経路の確保の困難性、高価な輸送費用、現場工期設定上の煩雑性及び不確実性などの技術的課題がある。
【０００６】
そこで、これらの技術的課題を解決するために、ケーソンの型枠を工場生産し、地下室建設現場でこれら型枠部材及び壁鉄筋を組立てた後、コンクリートミルクを型枠内に打設して壁コンクリートを形成する方法、特に、型枠解体工事及び型枠廃材の処理を省略するために、捨て型としての型枠部材を工場生産し、地下室建設現場でこれら型枠部材及び壁鉄筋を組立てた後、コンクリートミルクを型枠内に打設して壁コンクリートを形成する地下室潜函方法が提案されるに至っている（特開平１０−８２０６１号公報参照）。
【０００７】
【発明が解決しようとする課題】
ところで、この従来の地下室潜函工法においては、ケーソンを掘削穴の中に沈下させるときにベースジャッキを用いたり、クレーンなどの揚上機を用いてケーソンを支持する必要がある。
【０００８】
ベースジャッキでケーソンを支持する場合には、掘削穴をケーソンの設置深さよりもベースジャッキの高さ分だけ深く掘削する必要が生じる上、ベースジャッキの高さをうまく調整しなければ、ケーソンが傾いて設置されるおそれがあり、ケーソンが傾かないようにベースジャッキを調整するためには、多大の時間と労力が必要である上、高度の熟練が必要になる。又、掘削穴の底面の地耐圧が一定でなければ、例えば地下室基礎底面を形成する地業工事を行う間などの短時間で不等沈下し、傾かないように設置したケーソンが短時間の間に傾いて設置されるおそれがある。
【０００９】
ケーソンをクレーンなどの揚上機で吊って支持する場合には、揚上機の手配など煩瑣な準備が必要であり、又、その手配の結果によって工期が不安定になるという技術的な課題がある。更に、ケーソンを揚上機で吊って支持する場合には、特別な搬器やケーソンをバランス良く吊り下げるためのバランスビームなどの附属装置を用いずにロープなどによりケーソンを傾かないように支持することは非常に困難であり、ベースジャッキでケーソンを支持する場合に比べて、ケーソンが傾いて設置されるおそれが一層高くなる。加えて、ケーソンを傾かないように支持するために特別の搬器や附属装置を用いる場合には、その特別の搬器や附属装置の製造費用、保管費用、保管場所などが必要になり、コストダウンを図る上で不利になる。
【００１０】
本発明に係る地下室潜函工法（以下、本発明方法という。）は、これらの技術的課題を解決し、地下室の壁躯体を傾かせることなく設置できる地下室潜函工法を提供することを目的とする。
【００１２】
【課題を解決するための手段】
本発明方法は、地上に地下室の外周壁躯体を構成するケーソンを配置し、このケーソンの内側及び下側の地盤を掘削して形成した掘削穴に該ケーソンを所定の設置深さまで沈下させる地下室潜函工法において、前記目的を達成するため、次のような技術的手段を採用したものである。
【００１３】
即ち、予めケーソンの適当な複数箇所に分散して、複数本の調整ネジをケーソンから上方に突出するようにケーソンに固定し、このケーソンを掘削穴内の地下室基礎底面上の所定の深さに沈下させてから、前記調整ネジを各箇所ごとにそれぞれハンガービームに挿通し、各ハンガービームの両端を掘削穴の周縁部に受け止めさせた後、各調整ネジに調整ナットを螺合し、ハンガービームに受け止められるまで締め込んで前記ハンガービーム、調整ナット及び調整ネジを介して前記ケーソンを掘削穴の周縁部に吊持させる、という技術的手段を採用したものである。
【００１４】
このように構成することにより、ケーソンの１箇所又は複数箇所の高さが調整ナットの締め具合を調整することにより調整できるから、沈下させたケーソンが傾いておれば、必要な箇所の調整ナットの締め具合を調整することによりケーソンの傾きを解消することができる。
【００１５】
以下、本発明方法が適用される地下室潜函工法、及び前記本発明方法の実施に適し、簡単な構成で地下室の壁躯体を傾かせることなく設置できるようにしたレベル調整装置について詳細に説明する。
【００１６】
まず、本発明方法が適用される地下室潜函工法としては、地上に地下室の外周壁躯体を構成するケーソンを配置し、このケーソンの内側及び下側の地盤を掘削して形成した掘削穴に当該ケーソンを所定の設置深さまで沈下させる地下室潜函工法であれば特に限定されるものではなく、地上にケーソンを配置する方法としては、地下室建設用地上に予め完成されたケーソンを搬入して置く方法と、地下室建設用地上でケーソンを形成する方法とが挙げられる。
【００１７】
これらの方法の中では、輸送経路の確保の困難性、高価な輸送費用、現場工期設定上の煩雑性及び不確実性などの技術的課題が解消できるので、地下室建設用地上でケーソンを形成する方法を採用することか望ましい。
【００１８】
又、地下室設置用地上でケーソンを形成する方法としては、特に限定はされないが、ケーソンの下部を形成してから、この下部を掘削穴内に沈下させ、この後、ケーソンの上部を形成してからケーソン全体を掘削穴内に沈下させる方法と、ケーソン全体を形成してから、このケーソン全体を掘削穴内に沈下させる方法と、が挙げられるのであり、工程が簡単で、工期が短く、工費が至極安価になる後者を採用することが望ましい。
【００１９】
更に、ケーソン全体を形成する方法としては、特に限定されるものではないが、ケーソンを複数の部分に分割して工場生産し、地下室建設用地上で各部分を連結することによりケーソン全体を形成する方法や、地下室建設用地上に型枠、特に、型枠と壁鉄筋とを組立て、型枠内にコンクリートミルクを打設して硬化させることによりケーソン全体を形成する方法が含まれるのであり、これらの中では部材製造費、部材輸送費用などが安価になり、又、型枠を捨て型とする場合には、これらに加えて型枠の解体撤去費用及び型枠廃材の処理費用が不要になる後者を採用することが望ましい。
【００２０】
なお、本発明方法において、前記ケーソンの平面図形は、中空図形であれば特に限定されるものではないが、中空の円形（円環状）、中空の楕円形（楕円環状）、中空の正方形、中空の長方形、中空の台形、中空の平行四辺形、中空の菱形等の中空の四辺形、中空の三角形、中空の五角形、中空の六角形、中空の八角形などの中空の四辺形以外の中空の多角形、五芒星、六芒星、八芒星などの芒星形など任意の形状を採用できるのであり、具体的には、例えば前記ケーソンが平面視において中空の長方形又は正方形に形成される場合には、この長方形又は正方形の対角に位置する該ケーソンの２隅部に前記調整ネジが配置される。
【００２１】
もちろん、本発明方法の地下室の用途は特に限定されず、具体的には、例えば居室、娯楽室、遊戯室、書斎、納戸などの日常生活に使用される地下室、各戦争を含む戦争時や災害時などの非常生活に使用される地下シェルター、飲料水槽、防火水槽、油槽、薬液槽、化学液槽などの日常の消費、流通あるいは非常時に備えた液状物質の備蓄に使用される地下槽、食糧品、燃料、医薬品、家具、衣類、防護用品などの日常の消費、流通あるいは非常時に備えたその他の物資の備蓄に使用される地下倉庫などが本発明の地下室に含まれる。
【００２２】
又、このケーソンの内側及び下側の地盤を掘削して形成した掘削穴に当該ケーソンを所定の設置深さまで沈下させる方法については、後述するケーソンを掘削穴内の地下室基礎底面上の所定の深さに沈下させる方法と説明が重複するので、ここでは重複説明を避けるために省略する。
【００２３】
次に、本発明方法を特徴付ける構成要件は、予めケーソンの適当な複数箇所に分散して、複数本の調整ネジをケーソンから上方に突出するようにケーソンに固定し、このケーソンを掘削穴内の地下室基礎底面上の所定の深さに沈下させてから、前記調整ネジをそれぞれハンガービームに挿通し、この各ハンガービームの両端を掘削穴の周縁部に受け止めさせた後、各調整ネジに調整ナットを螺合して、前記ハンガービーム、調整ナット及び調整ネジを介して前記ケーソンを掘削穴の周縁部に吊持させ、前記調整ナットの締め具合を調整することである。
【００２４】
前記ケーソンの適当な複数箇所としては、特に限定はされないが、ハンガービーム、調整ナット及び調整ネジの荷重を平均化させるために、前記ケーソンの重心から等距離の複数箇所を選択すること、即ち、前記ケーソンの重心から等距離の複数箇所に前記調整ネジが配置されることが好ましい。
【００２５】
ここで、複数箇所とは２箇所以上のことであり、例えば調整ネジを２箇所に設ける場合には、平面視において、前記ケーソンの重心を通る直線上の、当該重心を中心とする対称的な２箇所に前記調整ネジが配置される。
【００２６】
もちろん、本発明方法においては、前記ケーソンの３箇所以上の複数箇所に前記調整ネジが配置される場合も含まれるのであって、例えば３箇所に前記調整ネジが配置される場合には、これら調整ネジは正三角形又は二等辺三角形の各頂点に位置さればよい。
【００２７】
又、本発明方法においては、複数本の調整ネジが前記複数箇所に分散して設けてあればよく、各箇所に設ける調整ネジの数は特に限定されない。例えば、各箇所に調整ネジを１本ずつ配置しても、各箇所に２本以上の複数本の調整ネジを適当な間隔を置いて配置しても、各箇所に設ける調整ネジの本数を異ならせてもよいのである。
【００２８】
なお、複数本の調整ネジをケーソンに固定する方法については、後述する本発明装置の詳細な説明の中で説明し、ここでは重複説明を避けるために省略する。
【００２９】
上述したように、予め適当な複数箇所に分散して、複数本の調整ネジをケーソンから上方に突出するように固定した当該ケーソンを、掘削穴内の地下室基礎底面上の所定の深さに沈下させる方法は、特に限定されるものではない。
【００３０】
具体的には、例えば掘削穴の周縁部以外の部分を機械掘り及び／又は手掘りし、掘削穴の周縁部をケーソンの自重を利用してそのケーソン自体により掘り下げさせることにより前記掘削穴が形成され、前記ケーソンを掘削穴の周縁部下方の地盤及び当該ケーソンの外周囲の地盤に支持させながら地下室基礎底面上の所定の深さに沈下させる方法を採用することができる。
【００３１】
又、前記ケーソンの内側及び下側を掘削することにより前記掘削穴が形成され、前記ケーソンをジャッキあるいは揚上機により支持しながら地下室基礎底面上の所定の深さに沈下させる方法を採用してもよいのである。
【００３２】
更に、前記ケーソンの内側、下側及び外側の所定の範囲を掘削することにより前記掘削穴が形成され、前記ケーソンをジャッキあるいは揚上機により支持しながら地下室基礎底面上の所定の深さに沈下させる方法を採用してもよいのである。
【００３３】
ここで、地下室基礎底面上の所定の深さとしては、前記設置深さを採用してもよく、又、この設置深さよりも浅い仮支持深さを採用してもよい。又、前記設置深さは、地下室基礎底面と同じ深さに設定してよい。
【００３４】
即ち、前記ケーソンを前記設置深さまで沈下させた後、前記調整ネジをそれぞれハンガービームに挿通し、各ハンガービームの両端を掘削穴の周縁部に受け止めさせる方法を採用してもよいのである。
【００３５】
又、前記ケーソンを前記設置深さよりも浅い仮支持深さまで沈下させ、前記ハンガービーム、調整ナット及び調整ネジを介して前記ケーソンを掘削穴の周縁部に吊持させた後、前記調整ナットを螺解してケーソンを前記設置深さまで沈下させながら前記調整ナットの締め具合を調整する方法を採用してもよい。
【００３６】
更に、前記ケーソンを前記設置深さよりも浅い所定の仮支持深さまで沈下させた後、前記調整ネジを各箇所ごとにそれぞれハンガービームに挿通し、各ハンガービームの両端を掘削穴の周縁部に受け止めさせてから、各調整ネジに調整ナットを螺合して、ハンガービームの上面よりも高い所定の位置まで締め込み、この後、ケーソンを前記設置深さ、又はその近くまで沈下させたときに各調整ナットをハンガービームに受け止めさせることにより前記のハンガービーム、調整ナット及び調整ネジを介して前記ケーソンを掘削穴の周縁部に吊持させ、更にこの後、前記調整ナットの締め具合を調整することによりケーソンを前記設置深さに設置する方法を採用してもよいのである。
【００３７】
これらの方法において、ケーソンを調整ネジ、調整ナット及びハンガービームを介して掘削穴の周縁部に吊持させるとは、それまでにケーソンを支持していた手段に代えてケーソンを調整ネジ、調整ナット及びハンガービームを介して掘削穴の周縁部に吊持させるという意味である。
【００３８】
即ち、それまでにケーソンが当該ケーソンの下側及び外周囲の地盤によって支持されていた場合には、ケーソンを調整ネジ、調整ナット及びハンガービームを介して掘削穴の周縁部に吊持させた後、ケーソンの下側の地盤を掘削することにより、又、それまでにケーソンがベースジャッキにより支持されていた場合にはベースジャッキを短縮したり、撤去したりすることにより、更に、それまでにケーソンが揚上機によって支持されていた場合には、揚上用ロープを弛緩させたり、ケーソンから外したりすることにより、それまでにケーソンを支持していた手段に代えてケーソンを調整ネジ、調整ナット及びハンガービームを介して掘削穴の周縁部に吊持させるのである。
【００３９】
ところで、本発明においては、地下室基礎底面との記載の他に設置深さというように記載されているが、この設置深さとは地下室のケーソン底面が設置される深さを意味するのであり、この設置深さは、前記地下室基礎底面と同じ深さに設定してよい。又、本発明方法においては、これらの他に仮支持深さと記載されているが、この仮支持深さとは、前記設置深さよりも浅く、前記調整ネジにハンガービーム及び調整ナットを組付るために、ケーソンをその下側の地盤及びその外周囲の地盤、ベースジャッキ、揚上機などに一時的に支持させたときのケーソン底面の深さを意味している。
【００４０】
その他の本発明方法の詳細な説明は、この後に述べる本発明装置の詳細な説明と重複するので、ここでは重複説明を避けるために省略する。
【００４１】
次に、本発明装置は、前記目的を達成するため、地下室の外周壁躯体を構成するケーソンの適当な複数箇所に分散して配置され、このケーソンにその上方に突出するように固定された複数本の調整ネジと、各箇所の１本又は複数本の調整ネジが挿通され、両端が掘削穴の周縁部に支承される複数本のハンガービームと、ハンガービームに挿通された各調整ネジに個別に螺合される複数個の調整ナットとを備えることを特徴とする、という技術的手段を採用したものである。
【００４２】
本発明装置によれば、前記ケーソンを掘削穴内の地下室基礎底面上の所定の深さに沈下させてから、前記調整ネジを各箇所ごとにそれぞれハンガービームに挿通し、この各ハンガービームの両端を掘削穴の周縁部に受け止めさせた後、各調整ネジに調整ナットを螺合して、前記ハンガービーム、調整ナット及び調整ネジを介して前記ケーソンを掘削穴の周縁部に吊持させ、前記調整ナットの締め具合を調整すること、即ち、本発明方法を実施することができる。
【００４３】
そして、本発明装置を用いて本発明方法を実施することにより、ケーソンの１箇所又は複数箇所の高さが調整ナットの締め具合を調整することにより調整されるので、沈下させたケーソンが傾いておれば、必要な箇所の調整ナットの締め具合を調整することによりケーソンの傾きを解消することができる。
【００４４】
以下、本発明装置について、ケーソン、調整ネジ、ハンガービーム、調整ナットの順に詳細に説明する。
【００４５】
まず、本発明装置のケーソンは、地下室の外周壁躯体を構成するものであればよく、少なくとも鉄筋コンクリート製の壁コンクリートを備えている。このケーソンは予め一体的に完成されたものであってもよく、又、幾つかに分けて形成された部材を地下室建設用地上で連結することにより完成されるものであってもよく、更に、地下室建設用地上で型枠を組み、型枠の中に壁コンクリートを形成したものであってもよいのである。
【００４６】
地下室建設用地上で型枠を組み、この型枠の中に壁コンクリートを形成したケーソンの中には、この後、型枠を解体して撤去したものと、捨て型としての型枠を組付けたままのもの、即ち、型枠と壁コンクリートとからなるものとが含まれる。又、型枠と壁コンクリートとからなるケーソンには、沈下させる前に全体が完成されるものと、例えば下部を形成して沈下させた後上部を継ぎ足すことにより全体が完成されるものとが含まれる。
【００４７】
前記調整ネジは、上述したように、前記ケーソンの適当な複数箇所に分散して配置され、又、例えばケーソンに植設されたり、ケーソンの型、例えば捨て型に固定されたりすることにより、該ケーソンにその上方に突出するように固定される。
【００４８】
調整ネジをケーソンの壁コンクリートに植設する場合には、調整ネジを壁コンクリートの鉄筋に例えば番線で結束することにより連結することが好ましいが、調整ネジを壁コンクリートの鉄筋に連結せずに、打設した壁コンクリートに、壁コンクリートが硬化する前に差し込むことにより調整ネジをケーソンの壁コンクリートに植設するようにしてもよいのである。
【００４９】
又、調整ネジを壁コンクリートの型、例えば捨て型に固定する方法としては、ケーソンの捨て型とは別体の調整ネジを溶接、融着、接着、釘止め、ビス止め、リベット止めなど任意の方法を採用することができる他、一体の材料からケーソンと調整ネジとを一体物として形成する方法を採用することも可能である。
【００５０】
前記ハンガービームは、調整ネジを挿通して、掘削穴を跨ぐようにしてその両端が掘削穴の周縁に支承されるものであればよく、例えば中心部に調整ネジを挿通する挿通穴を上下方向に貫通するように形成した棒材又は管材で構成したり、調整ネジの太さと同等又はそれよりも大きい間隔を置いて互いに連結した１対の棒材又は管材で構成したりすることができる。
【００５１】
前記調整ナットは、調整ネジに螺合できるものであればよく、例えば六角ナットのように工具を用いてねじまわすものであっても、蝶ナットのように工具を用いずに手でねじまわすものであってもよいのである。
【００５２】
ハンガービームに挿通され、その上方に突出する調整ネジの上端にこの調整ナットを螺合し、ハンガービームに受け止められるまでねじ込むと、前記ケーソンを調整ネジ、調整ナット及びハンガービームを介して掘削穴の周縁に受け止めさせることができるのであり、この後、調整ネジを螺締すればケーソンの位置を高く微調整することができるのであり、螺緩すればケーソンの位置を低く微調整することができる。
【００５３】
なお、調整ネジの操作を容易にするために、調整ナットとハンガービームの上面との間に調整ネジに外嵌される座金、スリップリング、スリーブなどを介在させてもよいのである。
【００５４】
又、前記調整ネジ、ハンガービーム及びナットの材質は、特に限定されるものではなく、鉄、鋼、銅、アルミニウム、真鍮などの金属、木材、合成樹脂等、任意の材質を選択して使用することができる。
【００５５】
【作用】
以上に説明したように、本発明方法は、予めケーソンの適当な複数箇所に分散して、複数本の調整ネジをケーソンから上方に突出するようにケーソンに固定し、このケーソンを掘削穴内の地下室基礎底面上の所定の深さに沈下させてから、前記調整ネジを各箇所ごとにそれぞれハンガービームに挿通し、各ハンガービームの両端を掘削穴の周縁部に受け止めさせた後、各調整ネジに調整ナットを螺合して、前記ハンガービーム、調整ナット及び調整ネジを介して前記ケーソンを掘削穴の周縁部に吊持させるので、ケーソンの１箇所又は複数箇所の高さが調整ナットの締め具合を調整することにより調整できる、という作用が得られる。
【００５６】
又、本発明装置は、地下室の外周壁躯体を構成するケーソンの適当な複数箇所に分散して配置され、このケーソンにその上方に突出するように固定された複数本の調整ネジと、各箇所の１本又は複数本の調整ネジが挿通され、両端が掘削穴の周縁部に支承される複数本のハンガービームと、ハンガービームに挿通された各調整ネジに個別に螺合される複数個の調整ナットとを備えるので、構成が簡単である上、これを用いて本発明方法の実施をしてケーソンの１箇所又は複数箇所の高さが調整ナットの締め具合を調整することによって簡単にできる、という作用が得られる。
【００５７】
【発明の実施の形態】
以下、本発明のレベル調整装置及びこれを用いた地下室潜函工法の実施例を図面に基づいて具体的に説明するが、本発明はこの実施例に限定されるものではない。
【００５８】
図１は、本発明の一実施例に係るレベル調整装置及び地下室潜函工法の説明図であり、このレベル調整装置は、地下室の外周壁躯体を構成するケーソン１の２箇所に分散して配置され、該ケーソン１にその上方に突出するように固定された４本の調整ネジ２と、各箇所に設けた２本の調整ネジ２が挿通され、両端が掘削穴７の周縁部に支承される２本のハンガービーム３と、各ハンガービーム３に挿通された各調整ネジ２に個別に螺合される４個の調整ナット４とを備える。
【００５９】
図２の説明図に示すように、このレベル調整装置を用いる本発明の一実施例に係る地下室潜函工法では、先ず、地下室建設用地上に地下室よりも少し広い範囲にわたって、地上建物の基礎底面の深さにピットＰを掘り下げ、このピットＰの底面上に捨て型として型枠５を組立て、この型枠５の中に鉄筋コンクリート製の壁コンクリート６を形成することにより前記ケーソン１が形成される。
【００６０】
次に、このケーソン１の内側の地盤を機械掘りし、更に、このケーソン１の下側の地盤をケーソン１の外周輪郭の近くまで手掘りし、ケーソン１の自重を利用してそのケーソン１自体により掘削穴７の周縁部を掘り下げさせることによりケーソン１を沈下させるための掘削穴７が形成され、同時に、前記ケーソン１を掘削穴７の周縁部下方の地盤及び当該ケーソン１の外周囲の地盤に支持させながら地下室基礎底面よりも僅かに浅い仮支持深さまで沈下させる。
【００６１】
ところで、図３の斜視図に示すように、前記型枠５は、鋼板製であり、平面視において中空の長方形に形成された下枠８と、この下枠８の上に内外に適当な間隔を置いて立設される内外両パネル９、１０とからなり、外パネル１０はケーソン１の壁面を外側から覆う外パネル部材１１と、壁面が交差する隅部を外側から覆うコーナーカバー１２とを備えている。
【００６２】
前記調整ネジ２は、前記ケーソン１の平面視における長方形の対角に位置する当該ケーソン１の２つの隅部に配置されるコーナーカバー１２の内面上部に、それぞれ前記対角を結ぶ対角線と交差する方向に適当な間隔を置いて溶接により固定される。
【００６３】
図１及び図２に示すように、このケーソン１は捨て型としての前記下枠８の上に内外両パネル９、１０及び壁鉄筋１３を設置した後、内外両パネル９、１０の間にコンクリートミルクを打設し、硬化させて壁コンクリート６を形成することにより完成される。
【００６４】
本発明の一実施例に係る地下室潜函工法では、上述したように、ケーソン１を地下室基礎底面１４よりもわずかに浅い仮支持深さまで沈下させると、掘削穴７の掘削を一旦停止し、各箇所の調整ネジ２にそれぞれハンガービーム３を差し込むことにより、前記調整ネジ２を各箇所ごとにそれぞれハンガービーム３に挿通する。
【００６５】
そして、このハンガービーム３を掘削穴７の隅部を跨ぐように配置して、その両端部を必要に応じてピットＰ底面に載置した枕木１５（又は受け座）の上に載せることにより、その両端部をピットＰ底面に受け止めさせる。
【００６６】
この後、各調整ネジ２に、それぞれ座金１６を外嵌してから、１個の調整ナット３を螺合し、この調整ナット３を座金１６を介してハンガービーム３の上面に受け止められるまで締め込み、これにより、ケーソン１を調整ネジ２、調整ナット４及びハンガービーム３を介してピットＰ底面に受け止めさせるのである。
【００６７】
なお、図４の正面図、図５の断面図及び図６の平面図に示すように、このハンガービーム３は、２本の溝型鋼３ａを、それらの腹板が調整ネジ２の太さよりもわずかに大きい間隔を置いて対向するように配置し、これらの両端を端面板３ｂを介して互いに溶接したものであり、両溝型鋼３ａの全長にわたって形成される両溝型鋼３ａ間の隙間３ｃに前記調整ネジ２が挿通されるように構成している。
なお、各溝型鋼３ａの溝には適当な間隔を置いて各溝型鋼３ａの断面形状を保持するための補強板を設けてもよい。
【００６８】
もっとも、このハンガービーム３には必要に応じてその両端に予め前記枕木１５をボルト止め、リベット止め、溶接などの手法によって予め固定しておいてもよい。
【００６９】
この実施例に係る地下室潜函工法では、ケーソン１を調整ネジ２、調整ナット４及びハンガービーム３を介してピットＰ底面に受け止めさせた後、掘削穴７をその周縁部を除いて地下室基礎底面１４まで掘り下げてから、調整ナット４をそれぞれ螺緩することによりケーソン１を地下室基礎底面１４まで沈下させる。
【００７０】
この際に、ケーソン１の各箇所の高低差が一定以下になるように各調整ナット４の締め具合を調整しながらケーソン１を沈下させ、ケーソン１が地下室基礎底面１４に達する際にケーソン１の各箇所の高低差が無くなるように各調整ナット４の締め具合を調整すると、図１に示すように、ケーソン１は傾くことなく地下室基礎底面１４の深さに設置されることになる。
【００７１】
なお、この地下室基礎底面１４はなるべく水平になるように形成されているが、厳密にいえば水平でない場合もある。しかし、前記ケーソンは、上述したようにして、この地下室基礎底面１４の水平度及び平面度に関係なく、傾くことなく、いわば水平に、所定の地下室基礎底面１４の深さに設置されるのである。
【００７２】
本発明の他の実施例に係る地下室潜函方法では、前記一実施例と同様に、予めケーソン１の適当な複数箇所に分散して、複数本の調整ネジ２をケーソン１から上方に突出するようにケーソン１に固定し、このケーソン１を掘削穴７の仮支持深さまで沈下させてから、前記調整ネジ２を各箇所ごとにそれぞれハンガービーム３に挿通し、各ハンガービーム３の両端を掘削穴７の周縁部に受け止めさせた後、各調整ネジ２に調整ナット４を螺合する。
【００７３】
ここで、この調整ナット４をハンガービーム３に受け止められるまで締め込む前記一実施例とは異なり、この実施例では、前記調整ネジ２をピットＰの底面に受け止めさせたハンガービーム３上の所定の高さに位置させる。
【００７４】
この後、掘削穴７をその周縁部を除いて地下室基礎底面１４まで掘り下げ、ケーソン１が地下室基礎底面１４からごく僅かに高い位置まで沈下したときに前記調整ナット４をハンガービーム３に受け止めさせ、更に、この後、各調整ナット４の締め具合を調整しながら各調整ナット４を螺緩することによりケーソン１を傾かせることなく地下室基礎底面１４まで沈下させる。
【００７５】
なお、この実施例を実施するために、前記調整ネジ２のネジはケーソン１の上面から予め定められた高さ以上に形成してあり、各ハンガービーム３の両端を掘削穴７の周縁部に受け止めさせた後、各調整ネジ２に調整ナット４を螺合するときに、このネジ形成領域の下端まで調整ナット４をねじ込むようにしているが、前記調整ネジ２のケーソン１の上面から予め定められた高さに塗装、印刷、切削などによりマークを設け、各ハンガービーム３の両端を掘削穴７の周縁部に受け止めさせた後、各調整ネジ２に調整ナット４を螺合するときに、このマークまで調整ナット４をねじ込むようにしてもよい。
【００７６】
又、前記各実施例において、調整ナット４の締め具合を調整している間、或いはその後に、地下室基礎底面１４まで沈下させたケーソン１が傾いているか否かを公知の水準器などを用いて検証するか否かは自由である。
【００７７】
【発明の効果】
以上に説明したように、本発明方法は、地上に地下室の外周壁躯体を構成するケーソンを配置し、このケーソンの内側及び下側の地盤を掘削して形成した掘削穴に当該ケーソンを所定の設置深さまで沈下させる地下室潜函工法において、予めケーソンの適当な複数箇所に分散して、複数本の調整ネジをケーソンから上方に突出するようにケーソンに固定し、このケーソンを掘削穴内の地下室基礎底面上の所定の深さに沈下させてから、前記調整ネジをそれぞれハンガービームに挿通し、各ハンガービームの両端を掘削穴の周縁部に受け止めさせた後、各調整ネジに調整ナットを螺合して、前記のハンガービーム、調整ナット及び調整ネジを介して前記ケーソンを掘削穴の周縁部に吊持させることができる。
【００７８】
従って、本発明方法によれば、ケーソンの１箇所又は複数箇所の高さが調整ナットの締め具合を調整することにより調整できるので、沈下させたケーソンが傾いておれば、必要な箇所の調整ナットの締め具合を調整することによりケーソンの傾きを解消することができる効果を得られる。
【００７９】
又、本発明装置によれば、地下室の外周壁躯体を構成するケーソンの適当な複数箇所に分散して配置され、このケーソンにその上方に突出するように固定された複数本の調整ネジと、各箇所の１本又は複数本の調整ネジが挿通され、両端が掘削穴の周縁部に支承される複数本のハンガービームと、ハンガービームに挿通された各調整ネジに個別に螺合される複数個の調整ナットとを備えるので、構成が簡単である上、これを用いて本発明方法の実施をしてケーソンの１箇所又は複数箇所の高さが調整ナットの締め具合を調整することによって至極簡単にできるなどの効果が得られるのである。
【図面の簡単な説明】
【図１】図１は、本発明方法において、掘削穴の掘削開始後の要領を説明する説明図である。
【図２】図２は、本発明方法において、掘削穴の掘削を開始前までの要領を説明する説明図である。
【図３】図３は、本発明方法で好適に用いられるケーソンの斜視図である。
【図４】図４は、本発明装置で好適に用いられるハンガービームの正面図である。
【図５】図５は、本発明装置で好適に用いられるハンガービームの断面図である。
【図６】図６は、本発明装置で好適に用いられるハンガービームの平面図である。
【符号の説明】
１  ケーソン
２  調整ネジ
３  ハンガービーム
４  調整ナット
【図１】
0004420514.tif 000002
【図２】
0004420514.tif 000003
【図３】
0004420514.tif 000004
【図４】
0004420514.tif 000005
【図５】
0004420514.tif 000006
【図６】
0004420514.tif 000007